(57)【特許請求の範囲】
【請求項１】
車体の上に取付けられる下部フレームと、
前記下部フレームの後端部によって回動自在に前記下部フレーム上に取付けられる荷台と、
前記下部フレームの前端部に前後方向に回動自在に支持され、可動部が前記荷台の前端部に連結されているシリンダと、
を具備し、
前記下部フレームは、両側の横枠が複数本のクロスメンバによって互いに連結されて梯子状をなし、前記両側の横枠間の間隔が車体の左右のシャシフレームの外側部間の間隔と同じくなっており、前記下部フレームが前記シャシフレームをまたぐようにして前記シャシフレームに固定され、
前記荷台は、両側の荷台横枠間に該荷台横枠と平行に左右一対の中間枠を備えており、前記荷台横枠と前記中間枠とを連結バーで連結した格子状の構造をなし、前記中間枠の内側に前記下部フレームの横枠が入込むようにして前記下部フレーム上に取付けられ、
前記シリンダによって前記荷台の前端部を持上げて前記荷台を後方に傾斜させるようにした荷台のダンプ装置。
【請求項２】
前記荷台の後端側の部分に回動連結部が設けられ、該回動連結部は補強板によって補強された連結構造体であって、前記下部フレームの後端に横方向に水平に取付けられた連結ピンを受入れ、これによって前記荷台を回動可能に支持する請求項１に記載の荷台のダンプ装置。
【請求項３】
前記荷台の前方の取付け板に前記シリンダが直立して前後方向に回動可能に取付けられ、前記荷台の前端側のフロントゲートの取付け板に前記シリンダの可動部が連結される請求項１に記載の荷台のダンプ装置。
【請求項４】
農作物がばらばらの状態で前記荷台上に積載される請求項１に記載の荷台のダンプ装置。
【発明の詳細な説明】
【技術分野】
【０００１】
本発明は荷台のダンプ装置に係り、とくに荷台を後方に傾斜させて積載されたものを排出するようにした荷台のダンプ装置に関する。
【背景技術】
【０００２】
一般に土砂や産業廃棄物等のばらばらの積荷を搬送するために、従来よりダンプカーが広く用いられている。ダンプカーは、例えば特開２００５−０６７２３７号公報に開示されているように、荷台の後端部をシャシフレームの後部によって回動可能に支持するとともに、荷台と車体との間に油圧シリンダを設けるようにしている。油圧シリンダを伸長させると、この油圧シリンダによって荷台の前端側が上方に持上げられ、これによって荷台が後方に傾斜され、積載物が自動的に排出されるようになっている。
【０００３】
このような従来のダンプカーにおける荷台の昇降装置は、比較的重量のある積載物、例えば土砂や産業廃棄物等を搬送するのに用いて好適なものであって、とくに建設作業に伴って発生するものを搬送するのに好適なものである。すなわち土砂や産業廃棄物等を、所定の位置へ搬送したならば、その後に上記油圧シリンダによって荷台を持上げることによって、荷台に積載された積載物を一挙に排出することができ、とくに排出作業の合理化が図られる。
【０００４】
ところが従来のこのような荷台の下部に油圧シリンダを組込んだ構成の荷台のダンプ装置は、重量物の運搬には好適なものの、例えば農産物等をバラ荷で積込んで排出するような場合には不適当なものである。すなわち軽量であってしかも比較的少ない量の農産物の運搬および排出に用いて好適な荷台のダンプ装置が望まれている。また従来のダンプ装置は、荷台の下側に昇降機構を組込んでいるために、荷台の高さが高くなって重心位置が高くなり、車両が不安定になる欠点がある。
【先行技術文献】
【特許文献】
【０００５】
【特許文献１】特開２００５−０６７２３７号公報
【発明の概要】
【発明が解決しようとする課題】
【０００６】
本願発明の課題は、軽量な積載物の搭載および排出に用いて好適な荷台のダンプ装置を提供することである。
【０００７】
本願発明の別の課題は、軽便であって低コストの荷台のダンプ装置を提供することである。
【０００８】
本願発明のさらに別の課題は、荷台の高さが高くならないようにした荷台のダンプ装置を提供することである。
【０００９】
本願発明のさらに別の課題は、農産物をばらばらの状態で積載し、かつ所定の位置にそれを排出できるようにした荷台のダンプ装置を提供することである。
【００１０】
本願発明の上記の課題および別の課題は、以下に述べる本願発明の技術的思想、およびその実施の形態によって明らかにされる。
【課題を解決するための手段】
【００１１】
本願発明は、車体の上に取付けられる下部フレームと、
前記下部フレームの後端部によって回動自在に前記下部フレーム上に取付けられる荷台と、
前記下部フレームの前端部に前後方向に回動自在に支持され、可動部が前記荷台の前端部に連結されているシリンダと、
を具備し、
前記下部フレームは、両側の横枠が複数本のクロスメンバによって互いに連結されて梯子状をなし、前記両側の横枠間の間隔が車体の左右のシャシフレームの外側部間の間隔と同じくなっており、前記下部フレームが前記シャシフレームをまたぐようにして前記シャシフレームに固定され、
前記荷台は、両側の荷台横枠間に該荷台横枠と平行に左右一対の中間枠を備えており、前記荷台横枠と前記中間枠とを連結バーで連結した格子状の構造をなし、前記中間枠の内側に前記下部フレームの横枠が入込むようにして前記下部フレーム上に取付けられ、
前記シリンダによって前記荷台の前端部を持上げて前記荷台を後方に傾斜させるようにした荷台のダンプ装置に関するものである。
【００１２】
ここで、前記荷台の後端側の部分に回動連結部が設けられ、該回動連結部は補強板によって補強された連結構造体であって、前記下部フレームの後端に横方向に水平に取付けられた連結ピンを受入れ、これによって前記荷台を回動可能に支持してよい。また前記荷台の前方の取付け板に前記シリンダが直立して前後方向に回動可能に取付けられ、前記荷台の前端側のフロントゲートの取付け板に前記シリンダの可動部が連結されてよい。また農作物がばらばらの状態で前記荷台上に積載されてよい。
【発明の効果】
【００１３】
本願の主要な発明は、車体の上に取付けられる下部フレームと、
前記下部フレームの後端部によって回動自在に前記下部フレーム上に取付けられる荷台と、
前記下部フレームの前端部に前後方向に回動自在に支持され、可動部が前記荷台の前端部に連結されているシリンダと、
を具備し、前記シリンダによって前記荷台の前端部を持上げて前記荷台を後方に傾斜させるようにした荷台のダンプ装置に関するものである。
【００１４】
従ってこのような荷台のダンプ装置によると、シリンダを作動させて荷台の前端部を持上げることにより、荷台が後方に傾斜され、積載物が自動的に排出される。このような荷台のダンプ装置は、下部フレームの前端部であって荷台の前方側に直立するように設けられた単一のシリンダでダンプ装置を構成することが可能になり、極めてコンパクトかつ軽便な荷台のダンプ装置ができる。とくにシリンダを荷台と車体との間に組込む必要がなく、このためにそれに連結するリンク機構も必要でなくなる。従って荷台の高さを低くすることが可能な低床式のダンプ装置を提供できるようになる。
【図面の簡単な説明】
【００１５】
【図１】本発明の一実施の形態に係る荷台のダンプ装置を備えるトラックの側面図である。
【図２】下部フレームの平面図（Ａ）、側面図（Ｂ）、および正面図（Ｃ）である。
【図３】荷台の平面図（Ａ）、側面図（Ｂ）、および正面図（Ｃ）である。
【図４】下部フレーム上に荷台を取付け、しかもこの荷台の前端部に油圧シリンダを連結した状態の正面図である。
【発明を実施するための形態】
【００１６】
以下本願発明を図示の実施の形態によって説明する。図１は本実施の形態の荷台のダンプ装置を備えるトラックの全体の構成を示している。なおこのトラックは、２トン車等の比較的小型のトラックから構成されている。トラックは、その車体の骨組みを成す左右一対のシャシフレーム１１が前後方向に延びるように設けられており、シャシフレーム１１の前端側の部分にキャブ１２が搭載されている。そしてシャシフレーム１１の前端側と後端側にはそれぞれ前輪１３と後輪１４とがサスペンション装置を介して懸架されている。
【００１７】
次に上記シャシフレーム１１上であってキャブ１２の後側に取付けられる下部フレーム２０について図２により説明する。下部フレーム１２は、図２Ａに示すように、全体として梯子状の形状をなし、両側の横枠２１を複数本のクロスメンバ２２によって互いに連結した構造を成している。ここで上記左右一対の横枠２１間の間隔は、左右一対のシャシフレーム１１の外側部間の距離と同じ間隔で設けられており、そのままシャシフレーム１１の外側にシャシフレーム１１と同一の高さで固定されるようになっている。
【００１８】
次に上記下部フレーム１０の前端側の部分に回動可能に取付けられる油圧シリンダ２６の取付け構造について説明する。下部フレーム２０の前端側の部分にはクロスメンバ２２と平行な取付け板２５が設けられており、この取付け板２５によって油圧シリンダ２６が図２Ｂおよび図２Ｃに示すように直立して取付けられる。油圧シリンダ２６はその内筒２７が固定側になっており、外筒２９が可動側になっている。そして内筒２７の下端部にこの内筒２７を貫通するように連結ピン２８が取付けられており、この連結ピン２８が取付け板２５に回動可能に支持されている。従ってこれにより、油圧シリンダ２６は、取付け板２５に前後方向に回動可能に支持される。そしてこの油圧シリンダ２６の可動側を成す外筒２９にはその下端部に大径部３０が形成され、この大径部３０の側方に突出するように連結ピン３１が植設されている。連結ピン３１にはブラケット３２が回動可能に取付けられている。
【００１９】
次に上記下部フレーム２０上に取付けられる荷台３６について説明する。荷台３６は図３Ａに示すように、両側に横枠４１を備えるとともに、これらの横枠４１間に横枠４１と平行に中間枠４２を備えている。そして横枠４１と中間枠４２とを連結バー４３で連結した構造になっており、全体としては型鋼によって格子状の構造を成している。そして上記中間枠４２の内側の部分に下部フレーム２０の横枠２１が組合わされるようになっている。また上記荷台３６の後端側の部分には回動連結部４５が設けられている。回動連結部４５は補強板によって補強された連結構造体であって、上記下部フレーム２０の後端に横方向に水平に取付けられた連結ピン４６を受入れ、これによってこの荷台３６を回動可能に支持するようになっている。
【００２０】
上記荷台３６の前端側にはいわゆる鳥居と称されるフロントゲート３７が取付けられている。フロントゲート３７は、荷台３６の前端側の区画壁を構成するものであって、取付け板３８を前面側に取付けている。この取付け板３８の部分に、上記油圧シリンダ２６のブラケット３２が取付けられるようになっている。
【００２１】
次に以上のような構成に係る荷台のダンプ装置の組立てについて説明する。まず図２に示す下部フレーム２０を図１に示す車両のキャブ１２の後側においてシャシフレーム１１上に固定する。上述の如く下部フレーム２０の横枠２１の内側部間の距離がシャシフレーム１１の対応する方向の外側部間の間隔と一致しているために、下部フレーム２０がシャシフレーム１１をまたぐようにして直接シャシフレーム１１上に固定される。そしてこの下部フレーム２０上には、その前端側の取付け板２５の部分に、連結ピン２８を介して油圧シリンダ２６の内筒２７の下端部が回動可能に取付けられ、油圧シリンダ２６は下部フレーム２０の前端部に直立した状態で連結されている。
【００２２】
このような油圧シリンダ２６を前端部に取付けた下部フレーム２０上に図３に示す荷台３６が取付けられる。荷台３６は、中間枠４２の内側に上記下部フレーム２０の横枠２１が入り込むようにして下部フレーム２０上に取付けられる（図４参照）。従って下部フレーム２０上において荷台３６が安定に支持される。そしてこの荷台３６のフロントゲート３７の取付け板３８の部分に、上記油圧シリンダ２６の外筒２９に連結ピン３１を介して連結されているブラケット３２を固定する。これによって荷台３６の前端側が油圧シリンダ２６に連結される。なお荷台３６上には、床板および必要に応じて側面のゲートあるいはあおり板が取付けられるようになっているが、ここでは便宜上それらを省略している。
【００２３】
このような荷台のダンプ装置を備える車両は、例えば農作業の収穫物をばらばらの状態で積載するのに用いられる。例えばジャガイモ、サツマイモ、コンニャク玉等の農産物を収穫した際に、その荷台の中に搭載するようになっている。なお搭載されるときには、図１において実線で示すように、荷台３６が水平な状態になっている。
【００２４】
このように荷台３６上に所定の農作物を搭載したならば、この車両で運搬する。そして目的地に到着したならば、油圧シリンダ２６によって荷台をダンプさせ、積載物を排出する。このときに内筒２７に対して外筒２９を図１において鎖線で示すように上方に移動させる。油圧シリンダ２６が伸長すると、荷台３６は連結ピン４６を中心として時計方向に回動されるとともに、油圧シリンダ２６は、下端側の内筒２７の部分が連結ピン２８を中心として回動しながら伸長するようになる。これによって荷台３６が後方に傾斜されるように上昇されるために、積載物が自動的に排出される。
【００２５】
このような荷台のダンプ装置は、荷台３６のフロントゲート３７の部分に油圧シリンダ２６を取付けておけばよく、荷台３６の下側であって、荷台３６と車体１１との間に油圧シリンダを組込む必要がなくなる。従ってそれに伴うリンク機構も必要でなく、昇降機構を極めて単純にすることができる。また油圧シリンダ２６は、荷台３６の前端側の部分を持上げるようにしているために、高いレバー比で荷台３６を上昇させることになり、これによって油圧シリンダ２６として、比較的小さな出力のもので対応することができる。従ってこのような荷台のダンプ装置は、軽便であって、とくに農作物のような軽量の積載物を搭載して運搬、排出するのに用いて好適な車両となる。またこのような荷台のダンプ装置は、側面から見るとＬ字状をなす荷台３６を、その前端側であってキャブ１２の背面に直立する油圧シリンダ２６によって昇降動作させるようにしているために、荷台３６とシャシフレーム１１あるいは下部フレーム２０との間に特別な昇降機構を設ける必要がなくなる。しかも下部フレーム２０の横枠２１をシャシフレーム１１に対しその横に組込むことができる。従って荷台３６をシャシフレーム１１のすぐ上に配することが可能になり、低床式のダンプ機構が実現できる。
【００２６】
以上本願発明を図示の実施の形態によって説明したが、本願発明は上記実施の形態によって限定されることなく、本願発明の技術的思想の範囲内において各種の変更が可能である。例えば上記実施の形態における下部フレーム２０や荷台３６の具体的な構造等については、積載される重量等に応じてその構造を任意に変更可能である。また油圧シリンダ２６に代えてエアシリンダで荷台３６を持上げるようにしてもよい。
【産業上の利用可能性】
【００２７】
本願発明は、農作物のような比較的重量の軽い積載物の運搬および排出に用いられる車両の荷台のダンプ装置として利用することができる。
【符号の説明】
【００２８】
１１  シャシフレーム
１２  キャブ
１３  前輪
１４  後輪
２０  下部フレーム
２１  横枠
２２  クロスメンバ
２５  取付け板
２６  油圧シリンダ
２７  内筒（固定側）
２８  連結ピン
２９  外筒（可動側）
３０  大径部
３１  連結ピン
３２  ブラケット
３６  荷台
３７  フロントゲート（鳥居）
３８  取付け板
４１  横枠
４２  中間枠
４３  連結バー
４５  回動連結部
４６  連結ピン
【図１】
0005933254.tif 000002
【図２】
0005933254.tif 000003
【図３】
0005933254.tif 000004
【図４】
0005933254.tif 000005